(57)【要約】      （修正有）【課題】流し台の排水口の排水口用フタ（菊割れゴム）５は、収納カゴ６の生ゴミを覆い隠し臭いを遮る蓋の作用と、排水を排水口用フタ（菊割れゴム）５の切断片群に沿って流し込む構造であるが、前記の切断片群は柔軟な素材で構成され排水口が広いため、調理時、食器洗い時に収納カゴ６に食品物、食器等が滑り落ちる不便、不衛生、不経済を解消する防柵具を提供する。【解決手段】枠体１の内側に棒材２を交差係合固定させて空間４．４ａを設け、前記の中央部に空間４ａを兼ねたつまみ口３を設けた防柵具を、排水口用フタ（菊割れゴム）５の上面凹部に設置し、課題の不便、不衛生、不経済を解消し、生ゴミの大小分別処理方法でゴミ袋７に収納する生ゴミの減量効果と、取り付け、取り外しの操作を容易に行え、更に排水口を遮らず設置された排水口用フタ（菊割れゴム）５の特徴を堅持させた構成を特徴としている。【選択図】図１０
2006342646.tif 000002
【特許請求の範囲】
【請求項１】
１．枠体１の内側に棒材２を交差係合固定させて空間４．４ａを設けた平面円形状の中央部に空間４ａを兼ねたつまみ口３を設けたことを特徴とした、流し台の排水口用フタ（菊割れゴム）５の上面凹部に設置する排水口用の防柵具である。
【発明の詳細な説明】
【発明の詳細な説明】
【技術分野】
【０００１】本発明は、流し台の排水口に排水口用フタ（菊割れゴム）５が設置された、前記の排水口用フタ（菊割れゴム）５の上面凹部に防柵具を設置し食品物や食器類が収納カゴ６に落下するのを防止可能に、調理時、食器洗い時に発生する生ゴミを大小分別処理可能に、更に設置された排水口用フタ（菊割れゴム）５の特徴を堅持した防柵具に関するものである。
【背景技術】
【０００２】従来の流し台の排水口は排水口用フタ（菊割れゴム）５を嵌め込み、前記の排水口用フタ（菊割れゴム）５で収納カゴ６に溜まった生ゴミを覆い隠し臭いを遮り、外見から見えないようにする蓋の構成と、中央部へ集合したそれぞれの切断片群に沿って収納カゴ６に流れ落ちる排水を穏やかにさせる構造は、ゴムの柔軟で薄い厚みの平面円形板状を菊形に中央部へ切り揃え円形状に菊花びらのように開くように構成され、下方へ垂れる作用によって開口する形態である。
上記の構成、構造、形態であるため、調理時に食品物が不用意にシンクに落ちると排水口附近は下降傾斜している為転がり易く、よって収納カゴ６に滑り落ち易い為溜まった生ゴミに混入すれば、手を入れて掻き分けて取り出すには気分を害し不便で、食品物によっては不衛生になり廃棄処分にせざるを得ず不経済である。食器洗い時にスプーン類、コップ、キャップ類や小皿等の食器類は排水口附近が下降傾斜している為洗剤を使えば滑り易く、また前記の食器類の重みによって排水口用フタ（菊割れゴム）５の内側のそれぞれの柔軟な切断片群は下方へ垂れ下がる形態の構造であるため保護できず、収納カゴ６に滑り落ちて溜まった生ゴミと混合すれば掻き分けて取り出す時や、ヌメリが食器類に付着すれば除去する時に不快感と不便を感受し、特に前記のスプーン類、キャップ類の食器類はゴミ袋７に溜まった生ゴミと混合すれば見分けが付き難く、其の為混入した儘のゴミ袋７をうっかり捨ててしまう紛失事故が多発し不経済である。
【発明が解決しようとする課題】
【０００３】上述の如く、排水口用フタ（菊割れゴム）５は収納カゴ６の生ゴミを覆い隠し臭いを遮る蓋の構成と、排水口を開口させて排水を遮らない従来の特徴を堅持し、調理時に食品物がシンクに落ちても排水口用フタ（菊割れゴム）５の上方で保護し滑り落ちを防止可能に、食器洗い時にスプーン類、コップ、キャップ類や小皿等の食器類を排水口用フタ（菊割れゴム）５の上方で保護し滑り落ちを防止可能に、前記のスプーン類、キャップ類の食器類を溜まった生ゴミと共にゴミ袋７を捨ててしまう紛失事故を解消可能に、また上記の調理時、食器洗い時に発生する生ゴミを大小分別処理可能にできる、シンクと収納カゴ６を仕切る構成の防柵具を提供しようとするものである。
【発明が解決するための手段】
【０００４】上記の目的を達成する為に、枠体１の内側を棒材２で交差係合固定させて空間４．４ａを設け、中央部に空間４ａを兼ねたつまみ口３を設けて平面円形状に構成した、本発明の防柵具を排水口用フタ（菊割れゴム）５の上面凹部に設置させる構成で、従来の排水口用フタ（菊割れゴム）５の構成、構造、作用、形態、効果の特徴を堅持し、しかも調理時に食品物がシンクに落ちても、本発明の防柵具上で保護し、野菜、果物類や魚介類等の生ゴミが発生すれば空間４．４ａより大きい生ゴミは防柵具上で取り除き、空間４．４ａより小さい生ゴミは通過させて収納カゴ６のゴミ袋７へ流し込み収納させる。
食器洗い時に発生する残飯も上記の如くの大小分別処理方法で対処し、収納カゴ６のゴミ袋７に生ゴミが一定量溜まれば取り出して廃棄することができる。
又、スプーン類、コップ類、キャップ類、小皿等の食器類は防柵具上で保護出来る為、収納カゴ６に滑り落ちるのを防止できる。
【発明を実施するための最良の形態】
【０００５】以下本発明の実施の形態について説明する。
上述のように構成された本発明の防柵具を排水口用フタ（菊割れゴム）５の上面凹部に設置すれば、調理時に発生する不便、不衛生、不経済と、野菜、果物類や魚介類等の生ゴミが発生した時の大小分別処理方法と、食器洗い時に感受する不便、不衛生と不測の紛失事故を回避し得る本発明の防柵具の形態を図面を参照しながら説明する。
第１図．第２図．第３図は、本発明の第１の実施例の形態で円形状の枠体１の内側の棒材２を細い棒材で交差係合固定してそれぞれの変形させた空間４．４ａを設け、中央部に空間４ａを兼ねたつまみ口３を設けた平面円形状に構成した防柵具である。
第４図、第５図、第６図．第７図．第８図は、本発明の第２の実施例の形態で、太さサイズが差異の棒材２を多数本変成して構成したもので、棒材２を差異の太さサイズ多数本で変成する構造の形態と、単独の同一太さサイズの棒材２で構成する構造の形態を、棒材２を交差係合固定しそれぞれの変形させた空間４．４ａを設け、中央部に空間４ａを兼ねたつまみ口３を設けて平面円形状に構成した防柵具である。
第９図は、本発明の防柵具の使用状態を示した断面図である。
第１０図は、本発明の防柵具の使用状態を示す斜視図である。
【実施例】
【０００６】本発明の実施例を図面を参照しながら説明する。
１は、枠体で円周外径は排水口用フタ（菊割れゴム）５の上面凹部の内側の円周径より小さい円形状枠体で構成される。
２は、棒材で１ｍｍ〜２ｍｍ程度の太さサイズで枠体１の内側円周域を交差係合固定し繋げ、空間４．４ａをそれぞれに変形させた構成の第１の実施例の形態である。（第１図．第２図．第３図）
棒材の太さサイズを１ｍｍ〜５ｍｍ程度内で差異の太さサイズを多数本変成し、前記の差異の太さサイズを２本〜３本で変成する構造の形態と、多数本で変成する構造の形態、更に太さサイズをそれぞれ単独の同一太さサイズの棒材で構成する構造の形態で、棒材２の太さサイズを多様化し変化性を図り得る構成で枠体１の内側円周域を交差係合固定し繋げ、空間４．４ａをそれぞれに変形させた構成の第２の実施例の形態である。（第４図．第５図．第６図．第７図．第８図）
３は、つまみ口で指先を入れて取り付け、取り外しを行なう操作と空間４ａを兼ねたものである。
４は、空間で棒材２を交差係合固定した時に発生する交差係合間で作られる所謂隙間で枠体１の内側周辺域に構成される。
４ａは、空間で棒材２を交差係合固定した時に発生する交差係合間で作られる所謂隙間で中央部のつまみ口３の周辺域に構成され、枠体１の内側周辺域の空間４より狭めた空間４ａで構成される。
この枠体１、空間４．４ａ、棒材２、つまみ口３の構成、構造、形態からなる本発明の防柵具は、従来の設置された排水口用フタ（菊割れゴム）５の特徴を堅持し、排水を遮らず、食品物、食器類（スプーン類、コップ、キャップ類や小皿等）を排水口用フタ（菊割れゴム）５の上方で保護し、前記の棒材２と空間４．４ａの構成で、水切り敏速、乾燥敏速可能の構造でヌメリや水カビを附着し難くする構成である。更に中央部のつまみ口３の周辺域の空間４ａを枠体１の内側周辺域の空間４より狭めた構成で、排水口用フタ（菊割れゴム）５の中央部の柔軟な切断片群が下方へ開放自由な排水口になる形態の構造に対応した狭めた空間４ａで構成したものである。
前記の棒材２で交差係合固定し空間４．４ａを創り出せば美観的で様々な模様が枠体１の内側で創り出されると共に、食品物、食器類、生ゴミを空間４．４ａ上に置いた場合でも空間４．４ａを枠体１の内側全域に構成した形態である為、何れかの空間４．４ａ、及び空間４ａを兼ねたつまみ口３が塞がれても他の空間４．４ａによって排水口は確保され排水は遮断されず排水口用フタ（菊割れゴム）５の特徴も堅持される。
５は、既製品の設置された排水口用フタ（菊割れゴム）で本発明の防柵具を上面凹部に設置させるものである。
上記に実施する防柵具の素材は合成樹脂類、プラスチック類、金属類（ステンレス、合金等）の硬質素材で構成され、防柵具は２０ｇ〜５０ｇ程度の重量を有し、水によってサビが発生する素材や、日常生活に需要する高温度、高温度湯や冷凍温度に対応不可な硬質素材は除外される。
この防柵具を使用するには、流し台の排水口に設置された排水口用フタ（菊割れゴム）５の上面凹部に設置し、シンクと収納カゴ６を仕切る防柵具に活用するものである。
【発明の効果】
【０００７】本発明は上述の通りの構成、構造、形態と使用状態によって次のような効果を発揮する。
流し台で調理時、食器洗い時に排水口用フタ（菊割れゴム）５の上面凹部に本発明の防柵具を設置しシンクと収納カゴ６を仕切ると、従来のような収納カゴ６のゴミ袋７に食品物や食器類が滑り落ちる不便と、不衛生、不経済が解消され、しかも空間４．４ａによって調理時、食器洗い時に発生する野菜、果物類や魚介類等の生ゴミを大小分別処理できる。
つまり、野菜、果物類や魚介類等の生ゴミが空間４．４ａより大きい生ゴミであれば本発明の防柵具上で取り除き、空間４．４ａより小さい生ゴミは通過させて収納カゴ６のゴミ袋７に流し込み収納できる。前記の大小分別処理の活用効果によってゴミ袋７に溜まる生ゴミは減少できる為取替え回数の手間も省け、ゴミ袋７の使用枚数も減少可能にする経済的効果が発揮され、更にゴミ袋７の使用減少は現代問題化されている地球温暖化対策の一環の生活環境改善策に最も適し、例えば日常生活で一家で一枚のゴミ袋７を減少可能となれば地球上で幾多数枚の減少可能となり多大な地球環境改善がなされ地球温暖化対策のゴミ削減対策の構想的効果も発揮される。
調理時に食品物がシンクに落ちても排水口用フタ（菊割れゴム）５の上方の防柵具上で保護出来る為清潔的で、更に食器洗い時にスプーン類、コップ、キャップ類や小皿等の食器類は排水口用フタ（菊割れゴム）５の上方の防柵具上で保護出来る為、従来の不便と不衛生が解消され清潔的で、しかも収納カゴ６のゴミ袋７にスプーン類、キャップ類の食器類を落とし忘れたまま溜まった生ゴミと一緒にゴミ袋７を捨ててしまう不注意による、うっかり紛失事故も解消され経済的効果も発揮される。
上記のごとき不便、不衛生の解消と経済的効果を発揮する防柵具は、水切り敏速に乾燥敏速に出来る為、ヌメリや水カビが附着し難い棒材２と空間４．４ａの構成、構造、形態によって、常に清潔に使用でき、更に排水口の排水を遮らず、排水口用フタ（菊割れゴム）５の特徴も堅持できる。
また設置された排水口用フタ（菊割れゴム）５の上面凹部に置くだけの設置操作で、つまみ口３も中央部に構成しているので、排水口用フタ（菊割れゴム）５の中央部の切断片群と接触せず取り付け、取り外しも簡単に行なえる利便性もある。防柵具に２０ｇ〜５０ｇ程度の重量を有した構造で、排水口用フタ（菊割れゴム）５の上面凹部に設置すれば、調理時、食器洗い時に洗い桶等に溜めた水を一度に捨てると収納カゴ６の下方の細い排水管は瞬時の排水量を排出し切れず渦巻状に排水口用フタ（菊割れゴム）５を越えて排水が膨れ上がる現象が発生すると、その現象によって防柵具が浮上し外れるのを抑制可能にする構造であり、この構造によって浮上防止できる。
更に防柵具を排水口用フタ（菊割れゴム）５と同色にすれば自然色で、別色や色彩を施せば綺麗な模様が浮き上がり美観的で爽快感も感受でき気分転換や、調理や食器洗いの炊事仕事も楽しめる防柵具を提供できる。
【図面の簡単な説明】
【０００８】
【図１】  本発明の第１の実施例を示した正面図である。
【図２】  本発明の第１の実施例を示した正面図である。
【図３】  本発明の第１の実施例を示した正面図である。
【図４】  本発明の第２の実施例を示した正面図である。
【図５】  本発明の第２の実施例を示した正面図である。
【図６】  本発明の第２の実施例を示した正面図である。
【図７】  本発明の第２の実施例を示した正面図である。
【図８】  本発明の第２の実施例を示した正面図である。
【図９】  本発明の実施例の使用状態を示した断面図である。
【図１０】  本発明の実施例の使用状態を示す斜視図である。
【符号の説明】
１．…枠体          ２．…棒材        ３．…つまみ口
４．４ａ…空間      ５．…排水口用フタ（菊割れゴム）
６．…収納カゴ      ７．…ゴミ袋
【図１】
2006342646.tif 000003
【図２】
2006342646.tif 000004
【図３】
2006342646.tif 000005
【図４】
2006342646.tif 000006
【図５】
2006342646.tif 000007
【図６】
2006342646.tif 000008
【図７】
2006342646.tif 000009
【図８】
2006342646.tif 000010
【図９】
2006342646.tif 000011
【図１０】
2006342646.tif 000012